(57)【要約】      （修正有）【課題】ティッシュケースの側面を有効利用するとともに、ティッシュを１枚ずつ確実に取り出すことが出来るスリットを備えたティッシュケースを提供する。【解決手段】ケース長手方向に直交する断面を多角形として、ケース底面と対向する頂辺にティッシュ７を取り出すスリット３を設けたティッシュケースである。【選択図】図２
2013067423.tif 000002
【特許請求の範囲】
【請求項１】
ケース長手方向に直交する断面を多角形として、山形状のケース長手方向の辺に、ティッシュを取り出すスリットを設けたことを特徴とするティッシュケース。
【請求項２】
請求項１記載のティッシュケースにおいて、前記スリットの両端部の開口の大きさを変える切り欠き部を形成したことを特徴とするティッシュケース。
【発明の詳細な説明】
【技術分野】
【０００１】      本発明は、ティッシュケースに関する。
【背景技術】
【０００２】  従来のティッシュケースは、内容物のティッシュの形状から、直方体の形状とし、直方体の上面の中央にティッシュ取り出しのスリットが設けられたものが一般的である。さらに、意匠登録第１３４１０９１号公報に記載されているように、かまぼこ型の上部にティッシュ取り出し口を設けたもの、或いは、意匠登録第１０８７３５３号公報に記載されているように、直角の扇形を両側面に持ち、扇の円弧に沿った曲面にティッシュ取り出し口を設けたものもある。
【先行技術文献】
【特許文献】
【０００３】
【特許文献１】意匠登録第１３４１０９１号公報
【０００４】
【特許文献２】意匠登録第１０８７３５３号公報
【発明の概要】
【発明が解決しようとする課題】
【０００５】  上述の一般的なティッシュケースでは、机上などで、目につき易い面を確保することが難しく、広告媒体などの利用は困難であり、更に、ティッシュ取り出しスリットは、幅を広くするとティッシュがまとまって飛び出してしまったり、ティッシュが少なくなってきた時、次のティッシュが戻ってしまったりするが、細くするとスリット端でティッシュがスリットに挟まり、破れてしまう。回避策のひとつとして、使い捨てのケースでは、スリットを幅広く取り、そこにビニールのような柔らかい素材をスリットに貼付け、そのビニールに設けられた線状のスリットからティッシュを取り出すというような構造により、ティッシュが破れることを防いでいるが、その結果、同一素材でケースを作ることが困難であるという欠点があった。【０００６】    また、意匠登録第１３４１０９１号公報、意匠登録第１０８７３５３号公報に記載されたティッシュケースは、どちらも側面の扇、または半円状に沿った曲面上にティッシュ取り出し口が設けられていて広告の媒体や、物入れを取り付けられるような大きな面が確保することができず、面の有効利用がなされていない。【０００７】  本発明は、ティッシュケースの面を広告媒体やインテリアとして有効に利用出来ること、ティッシュを１枚ずつ破れないように取り出すことの出来るティッシュケースを提供することを目的としている。
【課題を解決するための手段】
【０００８】  上記目的を達成するために本発明は、ケース長手方向に直交する断面を多角形として、ケース底面と対向する頂辺にティッシュを取り出すティッシュ取り出しスリットを設けたティッシュケースを提供する。【０００９】  更に、本発明は、スリット両端部にスリットの開口の大きさを変える切り欠き部を形成したティッシュケースを提供する
【発明の効果】
【００１０】  上記により、本発明は以下のような効果が得られる。
１．ケース長手方向に直交する相対する面を三角形とするので、ティッシュ取り出しスリットを面上ではなく、底面に対向している三角形の頂点を結ぶ辺上に設けることが出来るので、その辺の両側に位置する傾斜した長方形の側面がそのまま利用可能となり、面に物入れを取り付けたり、広告を入れることが出来る。
２．ティッシュ取り出しスリットの形状は、スリットの両端の少なくとも側面部の一つに切り欠き部を設けることで、スリット両端部も紙詰まりすることなく、ティッシュ取り出し時にはやや開き、次のティッシュが出てくると、それを軽く押さえる形となり、ティッシュが戻ることを防ぐことが出来る。
【図面の簡単な説明】
【００１１】
【図１】本発明の実施例の斜視図である。
【図２】図１に示す実施例におけるティッシュ取り出し時の斜視図である。
【図３】図１の平面図である。
【図４】図１の底面図である。
【図５】図１の正面図である。
【図６】図１の背面図である。
【図７】図１の側面図である。
【図８】図１の側面図である。
【図９】図１の展開図である。
【図１０】別の実施例の斜視図である。
【図１１】更に別の実勢例の斜視図である。
【図１２】本実施例のティッシュ取り出しスリットの正面図である。
【図１３】別のティッシュ取り出しスリットの実施例の正面図である。
【図１４】更に別のティッシュ取り出しスリットの実施例の正面図である。
【発明を実施するための形態】
【００１２】  以下、本発明の実施の形態を図に基づいて説明する。
【実施例１】
【００１３】  本発明は、ケース長手方向に直交する相対する三角側面部１、傾斜する側面部５と底面部６から構成されるティッシュケースで、底面６に対向する三角側面部頂点２を結んだ辺に、ティッシュ取り出しスリット３を設ける。図９の展開図より、留め具９を用いて組み立て、ティッシュを中に入れた状態で、最後に側面部の側面開閉留め部８を、留め具９を用いて留める。底面６の大きさは概ね１２セセンチｘ２４センチであり、箱入りのティッシュと同等の大きさである。【００１４】  更に、ティッシュ取り出しスリット３の両端に、ティッシュ取り出しスリット切り欠き部４を設けることで、ティッシュ取り出しスリット３は、スリットの端が広がらずに固定されてしまうこと無く、端から端まで開口の大きさを変えることが出来るので、ティッシュ７取り出し時には、スリット全体がやや開くが、次のティッシュ７が出てくると、それを軽く押さえる形となり、ティッシュ７が戻ることを防ぐことで、ティッシュ７を取り出す際、１枚ずつ送られ、破れにくい構造となっている。【００１５】  本発明は上記のような構成により、側面部５は傾斜する大きな平面となる為、そこに効果的な広告を入れたり、物入れを取り付けることが可能にな【００１６】  底面６に対向する頂辺にティッシュ取り出しスリット３を設けている構造であれば、上記実施例で述べた、長手方向と直交する相対する面は、三角形のみならず、図１０、図１１に示すように、多角形とすることが出来る。【００１７】  本発明本体を下げたり、少なくなったティッシュ７を持ち上げたりする為に、発明本体に穴をあけたり、取手を取り付けることも可能である。【００１８】  側面開閉留め部８は、使用前のティッシュ７を入れる目的が達成出来るのであれば、三角側面部１に取り付けることも出来るし、三角側面部１、側面部５本体の一部がその機能を兼ねることも出来る。また、側面開閉留め部８本体を三角側面部１または側面部５に設けられたスリットに差し込む形で固定することも出来る。【００１９】  ティッシュ取り出しスリット切り欠き部４の形状は、本実施例では図１１のような半円形状のものを用いたが、機能を満たすものであれば、図１２、図１３の例に示すような形状など、ティッシュ取り出しスリット３全体が、ティッシュ７取り出し時に、やや開くようなものであれば、特に形状は問わない。【００２０】  本発明の材料は、上記実施例のような、図９の展開図から組み立てるだけでなく、使用前にティッシュを入れる開口が確保出来るものであれば、紙、プラスティック、薄い木版、芯材を用いた布、薄い金属、新素材等、０．１ｍｍ〜２ｍｍ程度の、適切な剛性を持ったシート状の材料を用いることが出来る。
【符号の説明】
【００２１】１  三角側面部
２  三角側面部頂点
３  ティッシュ取り出しスリット
４  ティッシュ取り出しスリット切り欠き部
５  側面部
６  底面部
７  ティッシュ
８  側面部開閉留め部
９  留め具
【図１】
2013067423.tif 000003
【図２】
2013067423.tif 000004
【図３】
2013067423.tif 000005
【図４】
2013067423.tif 000006
【図５】
2013067423.tif 000007
【図６】
2013067423.tif 000008
【図７】
2013067423.tif 000009
【図８】
2013067423.tif 000010
【図９】
2013067423.tif 000011
【図１０】
2013067423.tif 000012
【図１１】
2013067423.tif 000013
【図１２】
2013067423.tif 000014
【図１３】
2013067423.tif 000015
【図１４】
2013067423.tif 000016